(57)【要約】【課題】データの読み書き処理を行う場合に、何らかのカードの処理結果にトラブルがあった場合に即座に確認でき、トラブルの原因究明が容易なカード等が望まれていた。【解決手段】情報を表示する表示部を備えたＩＣカードの表示方法であって、ＩＣカードのデータ読み書き手段を介してデータの読み書き処理を行わせた場合、該処理の処理中の状態か、又は、該処理を行わせた結果のうち、少なくともいずれかに関る情報を、文字、数字、記号、又は、図形のうちの少なくともいずれか１以上を用いて該表示部に表示することを特徴とするＩＣカードの表示方法等を提供する。【選択図】図１
2004102385.tif 000002
【特許請求の範囲】
【請求項１】
情報を表示する表示部を備えたＩＣカードの表示方法であって、
該ＩＣカードのデータ読み書き手段を介してデータの読み書き処理を行わせた場合、
該処理の処理中の状態か、又は、該処理を行わせた結果のうち、少なくともいずれかに関る情報を、文字、数字、記号、又は、図形のうちの少なくともいずれか１以上を用いて該表示部に表示すること、
を特徴とするＩＣカードの表示方法。
【請求項２】
前記処理の処理中の状態に関る情報とは、
該処理が処理中であることを示す情報か、該処理の全体に対してどの程度まで既に処理が進んでいるか示す情報か、あるいは、いま行っている処理が何に関る処理であるかを示す情報のうち、少なくともいずれか１以上であること、
を特徴とする請求項１に記載のＩＣカードの表示方法。
【請求項３】
前記処理を行わせた結果に関る情報とは、
該処理が正常に行われたことをを示す情報か、該正常に行われた処理を識別できるように示す情報か、該処理が正常に行われなかったことを示す情報か、該正常に行われなかった処理を識別できるように示す情報か、あるいは、該処理が正常に行われなかった原因を識別できるように示す情報のうち、少なくともいずれか１以上であること、
を特徴とする請求項１又は２のいずれかに記載のＩＣカードの表示方法。
【請求項４】
前記ＩＣカードの所有者があらかじめ指定しておいた事項に関る情報か、あるいは、該所有者が該ＩＣカードを使用する際に指定した事項に関る情報の、少なくともいずれか一方についても、前記表示部に表示する情報の中の一部として表示すること、
を特徴とする請求項１乃至３のいずれかに記載のＩＣカードの表示方法。
【請求項５】
前記表示部には、情報を表示させる際の情報の書込みに要したエネルギが無くなった後も、該表示部に該情報を表示し続けるよう、表示する情報の不揮発性を有する表示部を使用すること、
を特徴とする請求項１乃至４のいずれかに記載のＩＣカードの表示方法。
【請求項６】
前記表示部を制御して前記情報の表示を行う表示部制御手段として、前記ＩＣカード内に備えられた表示部制御手段を使用すること、
を特徴とする請求項１乃至５のいずれかに記載のＩＣカードの表示方法。
【請求項７】
前記表示部を制御して前記情報の表示を行う表示部制御手段として、前記ＩＣカードの外に用意された表示部制御手段を使用すること、
を特徴とする請求項１乃李５のいずれかに記載のＩＣカードの表示方法。
【請求項８】
前記表示部として、マイクロカプセル型電気泳動による表示技術を応用することを特徴とする請求項１乃至７のいずれかに記載のＩＣカードの表示方法。
【請求項９】
情報を表示する表示部を備えたＩＣカードであって、
該表示部が、
ＩＣカードのデータ読み書き手段を介してデータの読み書き処理を行わせた場合に、該処理の処理中の状態か、又は、該処理を行わせた結果のうち、少なくともいずれかに関る情報を、文字、数字、記号、又は、図形のうちの少なくともいずれか１以上を用いて表示すること、
を特徴とするＩＣカード。
【請求項１０】
前記処理の処理中の状態に関る情報とは、
該処理が処理中であることを示す情報か、該処理の全体に対してどの程度まで既に処理が進んでいるか示す情報か、あるいは、いま行っている処理が何に関る処理であるかを示す情報のうち、少なくともいずれか１以上であること、
を特徴とする請求項９に記載のＩＣカード。
【請求項１１】
前記処理を行わせた結果に関る情報とは、
該処理が正常に行われたことをを示す情報か、該正常に行われた処理を識別できるように示す情報か、該処理が正常に行われなかったことを示す情報か、該正常に行われなかった処理を識別できるように示す情報か、あるいは、該処理が正常に行われなかった原因を識別できるように示す情報のうち、少なくともいずれか１以上であること、
を特徴とする請求項９又は１０のいずれかに記載のＩＣカード。
【請求項１２】
前記ＩＣカードの所有者があらかじめ指定しておいた事項に関る情報か、あるいは、該所有者が該ＩＣカードを使用する際に指定した事項に関る情報の、少なくともいずれか一方についても、前記表示部に表示する情報の中の一部として表示すること、
を特徴とする請求項９乃至１１のいずれかに記載のＩＣカード。
【請求項１３】
前記表示部には、情報を表示させる際の情報の書込みに要したエネルギが無くなった後も、該表示部に該情報を表示し続けるよう、表示する情報の不揮発性を有する表示部であること、
を特徴とする請求項９乃至１２のいずれかに記載のＩＣカード。
【請求項１４】
前記表示部を制御して前記情報の表示を行う表示部制御手段を、前記ＩＣカード内に備えていること、
を特徴とする請求項９乃至１３のいずれかに記載のＩＣカード。
【請求項１５】
前記表示部として、マイクロカプセル型電気泳動による表示技術を応用することを特徴とする請求項９乃至１４のいずれかに記載のＩＣカード。
【請求項１６】
請求項９乃至１５のいずれかに記載のＩＣカード、及び、
前記ＩＣカードの外にあって、前記表示部を制御して前記情報の表示を行う表示部制御手段を備えたこと、
を特徴とするＩＣカードの表示システム。
【発明の詳細な説明】
【０００１】
【発明の属する技術分野】
本発明は、カード表面への表示機能をもつマルチアプリケーションＩＣカードと、表面に表示する文字や画像の制御を行い、カード内部の情報をカード表面に可視化するために利用するＩＣカードの表示方法とＩＣカード及びＩＣカード表示システムに関するもので、銀行用ＩＣカード、クレジット用ＩＣカード、ポイントＩＣカード、電子マネーカードなどに利用可能である。
【０００２】
【従来の技術】
ＩＣカードは磁気カード等に比べて大量のデータを記憶できるメモリを搭載しているので、１枚のカードで多くの情報を格納することができる。また、マイクロコンピュータによりデータ管理を行うのでセキュリティ性が高いという特徴を有する。このため社員証、定期券、キャッシュカード、クレジットカードなど様々な分野で利用されるようになってきている
しかしながら、メモリ内のデータは電子的な情報なので、この内容を知るには一旦ＩＣカードの内容をリーダライタ等の読取装置から読み取り、ディスプレイに表示たり紙に出力するなどの処理を行わなければならない。
【０００３】
このような問題点を解決するために、例えば特開平７−６８９７８号に開示されるようなＩＣカードが提案されている。これは、ＩＣカードの表面に画像を書き換え可能なリライト層を設けたものである。このリライト層には、所望のデータを可視情報としてカード表面に表示することが可能であり、しかも必要に応じて何度でも表示データを書き換えることが可能である。このようなＩＣカードであれば、有効期限や利用可能残金の表示などのＩＣカード内の必要なデータを可視情報として表示できるので極めて便利である。
【０００４】
【発明が解決しようとする課題】
ＩＣカードのチップ内に記録された情報はセキュリティーが高い反面、その内容を見るには専用のデバイスが必要であった。また、カード表面に情報を表示する際には、印字機能を持ったカードリーダ／ライタによってカード表面に印字する処理が必要であった。また、データの読み書き処理を行う場合に、何らかのカードの処理結果にトラブルがあった場合に即座に確認できず、しかも、そのトラブルの原因究明も容易ではなかった。
【０００５】
【課題を解決するための手段】
上記の課題は以下の発明により解決できる。
【０００６】
請求項１記載の発明においては、
情報を表示する表示部を備えたＩＣカードの表示方法であって、
該ＩＣカードのデータ読み書き手段を介してデータの読み書き処理を行わせた場合、
該処理の処理中の状態か、又は、該処理を行わせた結果のうち、少なくともいずれかに関る情報を、文字、数字、記号、又は、図形のうちの少なくともいずれか１以上を用いて該表示部に表示すること、
を特徴とするＩＣカードの表示方法を提供することにより解決できる。
【０００７】
請求項２記載の発明においては、
前記処理の処理中の状態に関る情報とは、
該処理が処理中であることを示す情報か、該処理の全体に対してどの程度まで既に処理が進んでいるか示す情報か、あるいは、いま行っている処理が何に関る処理であるかを示す情報のうち、少なくともいずれか１以上であること、
を特徴とする請求項１に記載のＩＣカードの表示方法を提供することにより解決できる。
【０００８】
請求項３記載の発明においては、
前記処理を行わせた結果に関る情報とは、
該処理が正常に行われたことをを示す情報か、該正常に行われた処理を識別できるように示す情報か、該処理が正常に行われなかったことを示す情報か、該正常に行われなかった処理を識別できるように示す情報か、あるいは、該処理が正常に行われなかった原因を識別できるように示す情報のうち、少なくともいずれか１以上であること、
を特徴とする請求項１又は２のいずれかに記載のＩＣカードの表示方法を提供することにより解決できる。
【０００９】
請求項４記載の発明においては、
前記ＩＣカードの所有者があらかじめ指定しておいた事項に関る情報か、あるいは、該所有者が該ＩＣカードを使用する際に指定した事項に関る情報の、少なくともいずれか一方についても、前記表示部に表示する情報の中の一部として表示すること、
を特徴とする請求項１乃至３のいずれかに記載のＩＣカードの表示方法を提供することにより解決できる。
【００１０】
請求項５記載の発明においては、
前記表示部には、情報を表示させる際の情報の書込みに要したエネルギが無くなった後も、該表示部に該情報を表示し続けるよう、表示する情報の不揮発性を有する表示部を使用すること、
を特徴とする請求項１乃至４のいずれかに記載のＩＣカードの表示方法を提供することにより解決できる。
【００１１】
請求項６記載の発明においては、
前記表示部を制御して前記情報の表示を行う表示部制御手段として、前記ＩＣカード内に備えられた表示部制御手段を使用すること、
を特徴とする請求項１乃至５のいずれかに記載のＩＣカードの表示方法を提供することにより解決できる。
【００１２】
請求項７記載の発明においては、
前記表示部を制御して前記情報の表示を行う表示部制御手段として、前記ＩＣカードの外に用意された表示部制御手段を使用すること、
を特徴とする請求項１乃李５のいずれかに記載のＩＣカードの表示方法を提供することにより解決できる。
【００１３】
請求項８記載の発明においては、
前記表示部として、マイクロカプセル型電気泳動による表示技術を応用することを特徴とする請求項１乃至７のいずれかに記載のＩＣカードの表示方法を提供することにより解決できる。
【００１４】
なお、表示に使用するエネルギが電気エネルギの場合は、ＩＣカードが電池内臓型ＩＣカードや太陽電池付ＩＣカードであれば、その電池から電力供給を受けてもよい。
【００１５】
一方、そのような電池を持たないＩＣカードの場合は、例えば、もし接触型ＩＣカードであれば、ＩＣチップの接触端子を介して外部から、また、もし非接触式ＩＣカードであれば、アンテナ又はコイルを介して外部から、それぞれ電力供給を受けてよい。
【００１６】
あるいは、もし表示に使用するエネルギが熱エネルギの場合は、外部の書込み手段から熱の供給を受ければよい。
【００１７】
請求項９記載の発明においては、
情報を表示する表示部を備えたＩＣカードであって、
該表示部が、
ＩＣカードのデータ読み書き手段を介してデータの読み書き処理を行わせた場合に、該処理の処理中の状態か、又は、該処理を行わせた結果のうち、少なくともいずれかに関る情報を、文字、数字、記号、又は、図形のうちの少なくともいずれか１以上を用いて表示すること、
を特徴とするＩＣカードを提供することにより解決できる。
【００１８】
請求項１０記載の発明においては、
前記処理の処理中の状態に関る情報とは、
該処理が処理中であることを示す情報か、該処理の全体に対してどの程度まで既に処理が進んでいるか示す情報か、あるいは、いま行っている処理が何に関る処理であるかを示す情報のうち、少なくともいずれか１以上であること、
を特徴とする請求項９に記載のＩＣカードを提供することにより解決できる。
【００１９】
請求項１１記載の発明においては、
前記処理を行わせた結果に関る情報とは、
該処理が正常に行われたことをを示す情報か、該正常に行われた処理を識別できるように示す情報か、該処理が正常に行われなかったことを示す情報か、該正常に行われなかった処理を識別できるように示す情報か、あるいは、該処理が正常に行われなかった原因を識別できるように示す情報のうち、少なくともいずれか１以上であること、
を特徴とする請求項９又は１０のいずれかに記載のＩＣカードを提供することにより解決できる。
【００２０】
請求項１２記載の発明においては、
前記ＩＣカードの所有者があらかじめ指定しておいた事項に関る情報か、あるいは、該所有者が該ＩＣカードを使用する際に指定した事項に関る情報の、少なくともいずれか一方についても、前記表示部に表示する情報の中の一部として表示すること、
を特徴とする請求項９乃至１１のいずれかに記載のＩＣカードを提供することにより解決できる。
【００２１】
請求項１３記載の発明においては、
前記表示部には、情報を表示させる際の情報の書込みに要したエネルギが無くなった後も、該表示部に該情報を表示し続けるよう、表示する情報の不揮発性を有する表示部であること、
を特徴とする請求項９乃至１２のいずれかに記載のＩＣカードを提供することにより解決できる。
【００２２】
請求項１４記載の発明においては、
前記表示部を制御して前記情報の表示を行う表示部制御手段を、前記ＩＣカード内に備えていること、
を特徴とする請求項９乃至１３のいずれかに記載のＩＣカードを提供することにより解決できる。
【００２３】
請求項１５記載の発明においては、
前記表示部として、マイクロカプセル型電気泳動による表示技術を応用することを特徴とする請求項９乃至１４のいずれかに記載のＩＣカードを提供することにより解決できる。
【００２４】
請求項１６記載の発明においては、
請求項９乃至１５のいずれかに記載のＩＣカード、及び、
前記ＩＣカードの外にあって、前記表示部を制御して前記情報の表示を行う表示部制御手段を備えたこと、
を特徴とするＩＣカードの表示システムを提供することにより解決できる。
【００２５】
具体的には、ＩＣカードの外にある表示部制御手段としては、ＩＣカードのデータ読み書き手段に備えておくなどの構成が好適である。
【００２６】
【発明の実施の形態】
以下、本発明の実施の形態を、図面を参照して詳細に説明する。
【００２７】
（１）カードの基本構成
図１は、本実施例のＩＣカードの構成を示すブロック図である。
【００２８】
本実施例のＩＣカードは、少なくともマイクロコンピュータとメモリとからなるＩＣカードであり、カード本体１内にＲＯＭ２及びＲＡＭ３を内蔵するＣＰＵ４（マイクロコンピュータ）、情報を格納するメモリ５、ＣＰＵ４又はメモリ５の内容を表示するディスプレイ６、ディスプレイを駆動するドライバ７、外部接続用の接続端子８を有する構成となっている。
【００２９】
なお、消費電力の関係上、ＲＡＭの代わりに、もしくは併せてＥＥＰＲＯＭなどの不揮発性で情報記憶可能な素子を用いることは有益な場合が多い。
【００３０】
ＩＣカードに対しては、外部接続用の接続端子８に電源電圧（Ｖｐｐ，Ｖｃｃ）、接地電圧（ＧＮＤ）が供給され（非接触型ＩＣカードの場合は後述するようなアンテナを通じて電源を供給する）、また制御信号としてリセット信号（ＲＳＴ）、入力信号（Ｉ／Ｏ）、クロック信号（ＣＬＫ）が入出力されて、ＣＰＵ４、メモリ５、ディスプレイ６およびドライバ７に対し必要に応じて供給される。
【００３１】
また、ＩＣカードの内部では、ＣＰＵ４とメモリ５がコントロールバスを通じて接続され、ＣＰＵ４による制御のもと、メモリ５の所定のアドレスに所望のデータが格納され、メモリ５に格納されたデータおよびＣＰＵ４の内容は外部からの電力の供給により、ドライバ７の制御に基づきディスプレイ６に表示可能になっている。
【００３２】
以上のように構成されるＩＣカード１は、例えば図２のような概観をしておりＣＰＵ４は図中左側上部に配置され、またディスプレイ６は右側に、複数の表示領域６ａ、６ｂ、６ｃに分かれて配置されている。
【００３３】
この場合、処理の処理中の状態か、又は、該処理を行わせた結果のうち、少なくともいずれかに関る情報などを、情報種毎に表示領域を対応させて表示する。
【００３４】
本例では、インジケータ６ａ、処理結果６ｂ、自由表示６ｃの表示が可能である。
【００３５】
また、ディスプレイ６としては一つの画像領域をなし、表示時に複数の表示領域に分かれて、処理の処理中の状態か、又は、該処理を行わせた結果のうち、少なくともいずれかに関る情報などを、複数のアプリケーションに対応して表示させる構成も可能である。
【００３６】
なお、必要に応じて磁気ストライプやエンボス文字領域を設けるようにすることも可能である。この場合の磁気ストライプには、ＩＣカード所有者の特定の情報が記憶され、エンボス文字領域にはユーザーの氏名やカード番号等がエンボス加工による凹凸で刻印されているなどの構成が可能である。
【００３７】
このＩＣカード１の寸法は、ＩＳＯ規格に準拠するものであり、従来のＩＣカードと同様に使用可能である。
【００３８】
ＩＣカード１は、各種情報処理装置の挿抜可能な補助記録媒体として使用され、図３に示すようにＩＣカードスロット２１を備えるリーダライタ２２とこれに接続されるコンピュータ２３とによって情報の入出力を行うものである。
【００３９】
ディスプレイ６に画像を表示制御プログラムにより表示させた後、表示を継続して行なうには外部から連続的に電力を供給する必要があるが、後述するような電気泳動式ディスプレイを採用した場合には画像のメモリー効果があるので、電力の供給がなくなってもディスプレイ６に継続して画像を表示させることができる。
【００４０】
（２）接触式、非接触式カードへの応用
ＩＣカードは、データの読取り及び書込みの方式により接触式と非接触式とに大別される。ここで、接触式とは、ＩＣカード表面に設けた外部接続端子にプローブ等を接触させることでデータ信号を伝達する方式をいう。一方、非接触式とは、ＩＣカード１内に埋設されたアンテナにより無線信号を交信する方式をいう。本発明のＩＣカード１は、どちらの方式も採用することができる。
【００４１】
図４に示すように、接触式ＩＣカードの場合は、ＩＣカード１への電力供給は、外部のリーダライタ等から接続端子３１を介して行われる。一方、図５に示すように非接触式のＩＣカードの場合は、外部アンテナ３２からＩＣカード１内のコイルアンテナ３３にデータと共に供給される。データはＲＦ回路３４で復調され、必要に応じてドライバ７を通じてディスプレイ６に表示される。このように、ＩＣカード１内のデータを、外部機器を用いることなくディスプレイ６に表示させることができる。
【００４２】
（３）カードの製造方法
非接触式のＩＣカードの製造方法として、例えば熱可塑性樹脂を用いた射出成型法によりＩＣユニットを包みこんでカード形状とする方法と、射出成型を行うか切削加工等を施してＩＣユニット装着個所を設けた第一、第二の樹脂板を形成し、その内部にＩＣユニットを装着したのち、第一、第二の樹脂板を接着して一体化する方法などがある。
【００４３】
後者の方法においては、第一、第二の樹脂板には熱可塑性樹脂と、熱硬化性樹脂のどちらを使用しても良い。
【００４４】
熱可塑性樹脂としては塩化ビニル樹脂、ポリスチレン樹脂、ＡＢＳ樹脂（アクリルニトリルブタジエンスチレン共重合樹脂）、ＳＡＮ樹脂（アクリルニトリルスチレン共重合樹脂）、アクリル樹脂、ポリサルホン樹脂、ポリカーボネート樹脂、ポリエチレン樹脂、ポリプロピレン樹脂、ポリアミド樹脂、ポリアセタール樹脂、フッ素樹脂、ポリエステル樹脂等が挙げられる。
【００４５】
また、熱硬化性樹脂としてはフェノール樹脂、ユリア樹脂、メラミン樹脂、ポリエステル樹脂、エポキシ樹脂、ポリレタン樹脂、キシレン樹脂、シリコール樹脂等が挙げられる。
【００４６】
前記第一、第二の樹脂板の少なくとも一方に、ＩＣユニット（ＩＣモジュール）を装着するための凹部を形成し、この凹部にＩＣユニットを装着する。
【００４７】
ついで、前記第一、第二の樹脂板の合わせ面を接着し、一体化して製品である非接触ＩＣカードとする。
【００４８】
（４）表示部の構成１
表示部は柔軟性を保持でき、かつバックライトが無くても十分なコントラストを有するものを好適に使用できる。これは柔軟性を有する薄い基板上に、エレクトロルミネセンス材料、ポリマー分散型液晶（ＰＤＬＣ）、ポリマー安定型液晶、スメクティック液晶、強誘電性液晶、マイクロカプセル型電気泳動方式を用いた表示体等を組合せることで実現できる。特に、マイクロカプセル型電気泳動方式を用いた表示体を用いると、従来の紙に近い画像の表示が可能となる。
【００４９】
（５）表示部の構成２
ディスプレイ６にフィルム式のマイクロカプセル型電気泳動方式のディスプレイ１１を用いる場合について詳細に説明する。
【００５０】
図６にディスプレイ１１の断面図を示す。紙、プラスチック等の可撓性を有する基材１１ｅ上に、電極フィルム１１ｄ、画像表示層１１ｃ、電極フィルム１１ｂ及びこの表示部を保護する表面保護層１１ａが積層されている。なお、表面保護層１１ａは省略することも可能である。
【００５１】
電極フィルム１１ｂはポリエチレンテレフタレート（ＰＥＴ）、ポリエチレンナフタレート（ＰＥＮ）、ポリイミド等の寸法安定性の優れた透明なプラスチックフィルムに電極が形成されているものである。電極フィルム１１ｄも同様な基材の電極が形成されてなるものであるが、必ずしも透明性は要求されない。
【００５２】
電極の方式は任意のものを選択可能であるが、下記のようなマイクロカプセル型電気泳動方式を用いる場合は、電極フィルム１１ｂは全面に同一の電位がかかる共通電極とし、電極フィルム１１ｄにはアクティブマトリックス電極、セグメント電極等による電極を採用することができる。
【００５３】
画像表示層１１ｃにマイクロカプセル型電気泳動方式に用いた場合の構成について説明する。
【００５４】
マイクロカプセル１１０の一例を図７に示す。マイクロカプセル１１０は、メタクリル酸樹脂、ユリア樹脂、アラビアゴム等をカプセル殻１１１とし、内部には酸化チタンからなる白の粒子１１３とカーボンブラックからなる黒の粒子１１４が、シリコーンオイル等の粘性の高い分散媒１１２で分散され封入されている。白の粒子である酸化チタンは正電荷を帯びており、一方黒の粒子であるカーボンブラックは負電荷を帯びている。
【００５５】
このため、図８（ｂ）に示すように、二つの電極フィルム１１ｂ、１１ｄに電界を印加して、電極フィルム１１ｂが負極、電極フィルム１１ｄが正極になった場合、正に帯電した白の粒子１１３が電極フィルム１１ｂ側に引かれ、黒の粒子１１４が電極フィルム１１ｄ側に引かれるので、少なくとも電極フィルム１１ｂを透明電極としておき、電極フィルム１１ｂ側の上方から観察するとその部分が白く見える。
【００５６】
逆に電極フィルム１１ｂが正極、電極フィルム１１ｄが負極になった場合、正に帯電した白の粒子１１３が電極フィルム１１ｄ側に引かれ、黒の粒子１１４が電極フィルム１１ｂ側に引かれるので、電極フィルム１１ｂの上方から観察するとその部分が黒く見える。
【００５７】
画像表示層１１ｃは、このようなマイクロカプセル１１０を多数有しており、電極フィルム１１ｂ、１１ｄの各アドレス電極の電界を制御することで、図８（ａ）で「Ａ」という文字を黒で表示したように、所望の文字や図形を白と黒の画素で表示させることができる。
【００５８】
上記の例に於いては、マイクロカプセルは白黒の２種類の粒子を含有させたモノクロ（白黒）の表示であるが、粒子の位置を電位のかけ方で多段階に調整することで中間調の表示を行うこと、異なる色の粒子を含有させてカラー表示させる或いは２種類以上の粒子を含有させることなども可能である。
【００５９】
また、上記のマイクロカプセルでは白黒の２種類の粒子を含有させているが、１種類の粒子を用い、分散媒を黒に着色させることでもモノクロ（白黒）表示を実現することができる。
【００６０】
すなわち、図９に示すように白の粒子である酸化チタンを正電荷に帯電させ、黒に着色した分散媒１１５に分散させたマイクロカプセルを用い、二つの電極フィルム１１ｂ、１１ｄに電界を印加して、電極フィルム１１ｂが負極、電極フィルム１１ｄが正極になった場合、正に帯電した白の粒子１１３が電極フィルム１１ｂ側に引かれ、黒に着色した分散媒１１５は必然的に１１ｄの電極フィルム側に押し下げられるので、電極フィルム１１ｂ側の上方から観察するとその部分が白く見える。逆に、電極フィルム１１ｂが正極、電極フィルム１１ｄが負極になった場合、正に帯電した白の粒子１１３が電極フィルム１１ｄ側に引かれ、黒に着色した分散媒１１５は必然的に電極フィルム１１ｂ側に押し上げられるので、電極フィルム１１ｂ側の上方から観察するとその部分が黒に見える。
【００６１】
マイクロカプセルをアクティブマトリックス駆動法で駆動する場合は、電極フィルム１１ｄは画素電極として画素毎に独立してパターニングされ、図示しない薄膜トランジスタ、信号電極、および走査電極を併設し、電極フィルム１１ｂは光透過性基材上に一様に形成された透明な共通電極とする。この場合、電極フィルム１１ｂを共通電極にすると全面同一電位になるので（例えば電位をゼロとする）、電極フィルム１１ｄ側の各アドレス電極の電界を制御（正または負の電位を与える）することで、上記の原理に基づき電極位置のマイクロカプセル内の粒子を移動させ、所望の画像を表示させることができる。
【００６２】
同様に、電極フィルム１１ｄを共通電極とし、電極フィルム１１ｂ側の各アドレス電極の電界を制御することで、電極位置のマイクロカプセル内の粒子を移動させることで所望の画像を表示させるようにしてもよい。
【００６３】
時分割駆動の場合は、電極フィルム１１ｂ、１１ｄは互いに直交するライン状のＩＴＯ（Ｉｎｄｉｕｍ　Ｔｉｎ　Ｏｘｉｄｅ：インジウムスズ）等の透明導電体からなる透明電極により構成され、両電極の交わる領域にマイクロカプセルを形成する。
【００６４】
もちろん、駆動方式は上述したものに限定されず、用途に応じて最適なものを選択すればよい。
【００６５】
マイクロカプセルの径は、種々のものを採用することが可能だが、約４０μｍ〜約１００μｍのものを採用すると十分な解像度と応答性を得ることができる。表示画像の解像度は主として電極フィルム中の電極の配置（解像度）に依存するが、マイクロカプセルの径が小さければ分散媒中のマイクロカプセルの移動速度が速くなり、結果として表示の際の応答性に優れる（応答速度が速い）というメリットがある。
【００６６】
上記の例では、モノクロ（白黒）の画像表示の例であるが、カラー画像表示の場合には図１０に示すように画素単位に分割されたＲ（赤），Ｇ（緑），Ｂ（青）の色を有するカラーフィルタ１１ｆを画素単位で電界を印加することができる透明な電極フィルム１１ｂ側に設けることで実現できる。
【００６７】
すなわち、白い粒子が電極フィルム１１ｂ側に引かれている部分の観察光は白粒子で反射されカラーフィルタを通過してくるので、カラーフィルタの色が観察されることになる。
【００６８】
図１０の例では、カラーフィルタのＲ画素部及びＧ画素部は白い粒子が電極フィルム１１ｂの透明電極側に引かれているのでＲ光及びＧ光が観察され、カラーフィルタのＢ画素部は黒い粒子が電極フィルム１１ｂの透明電極側に引かれているので観察光は吸収されＢ光は観察されない。このように、画素単位で観察されるＲ，Ｇ，Ｂ光を制御することでカラー画像表示が可能となる。なお、図１０では電極１１ｄを共通電極としているが、電極１１ｂ側を共通電極としても良い。
【００６９】
ペーパー状電子ディスプレイは可撓性を有する材料で作製され、電極等のパターニングも印刷法、蒸着法でプラスチックフィルムに形成することが可能である。表示画面サイズも、用途、要望に応じて任意のサイズのものを作成することができる。また、フィルムを用いて作製されているため嵩張らず軽い表示媒体であり、本発明の表示媒体として好適に用いることが可能である。
【００７０】
画像表示層１１ｃにおいては、マイクロカプセル１１０の位置配置は多少の変動があっても表示に問題は生じない。従って、折り曲げて使用したり、曲面の箇所に取付けて使用することなども可能である。
【００７１】
この点、例えば液晶表示装置（ＬＣＤ）は、画像表示層以外に強度を保つためのガラス板、偏光板や位相差板（フィルム）等が必要であるが、本実施の形態のようなペーパー状電子ディスプレイであれば、画像表示層とフィルムによる電極のみで良いので、非常に薄く、軽いディスプレイを得ることができる。
【００７２】
各粒子は粘性の高い分散媒に分散されており、一度電界を印加した後は電源が切断されても粒子の位置が変化しない。このように、ディスプレイの電源を切っても表示画像が消えない不揮発性（メモリー性）を有するので、初期の表示や書き換え時のみ電界を印加すればよく、通常の表示装置に比べて表示に必要な電力も少なくてすみ、大幅な省電力化が可能である。
【００７３】
さらに、ディスプレイ１１内においては、マイクロカプセル１１０の位置配置は多少の変動があっても表示に問題は生じない。したがって電極シート１１ｂ、１１ｄを含め、ディスプレイ１１全体を薄く可撓性を持たせる材料を用いることで、紙のような柔軟性を持たせることができる。
【００７４】
また、黒い粒子１１４のカーボンブラックは、通常の印刷を行うインクと同じ材料であるので、極めて紙の印刷物に近い自然な表示を行うことが可能となる。
【００７５】
液晶表示装置における表示媒体自身は薄いもので約５μｍに対し、電気泳動型ディスプレイは現在数十約μｍ（４０μｍ〜７０μｍ程度）厚いものである。しかし、表示媒体を保護ずる保護層としてのガラスは薄いものでも５００とか３００μｍであり、これを対で使うので、結構な厚みになってしまう。さらに偏光板や位相差板（フィルム）が必要であるが、これらも２００μｍ〜３００μｍ程度の厚みを有する。さらにＴＦＴ等の電極が必要であるため、液晶表示装置で光学特性を出すために、これらの層を含めてかなりの厚みが必要なる。したがって、ＩＳＯ規格を満たすＩＣカードを作成するのは困難である。
【００７６】
一方、電気泳動式のでディスプレイならば、ガラス等の保護層等も不要であり、全体をフィルム構成とすることで、容易に１ｍｍ以内とすることが可能であるため、ＩＣカードに好適に用いることができる。
【００７７】
（６）表示の制御等
本実施形態の作用について説明する。ＩＣカード１の電源を、外部のＩＣカードリーダライタから供給し、この電源の供給によってディスプレイ６への表示を行なう。このディスプレイ６の表示は、ドライバ７を通して行ない、例えばＣＰＵ４またはメモリ５のデータを他の外部機器、例えばパソコンやＯＡ機器に伝送する前にディスプレイ６に表示させるものである。
【００７８】
本実施形態のＩＣカード１は、ディスプレイ６に不揮発性を有するマイクロカプセル型電気泳動式ディスプレイを採用しているため、電力の供給が無くなってもそのまま表示画像が残存する。したがって、リーダライタ等からＩＣカード１を離しても、表示が視覚的に確認できる。また、ディスプレイ６のデータ書換えの際にのみ電力を供給すれば良いので、電力の消費が少なくてすむものである。また、これまでの表示装置に比べて軽量かつ薄くすることができるので持ち運びも容易であり、柔軟性を有することから折り曲げに対しても耐久性があり、通常のＩＣカード同様に扱うことができる。
【００７９】
なお、ディスプレイ６の表示は内部的な処理以外に、外部からマイクロカプセル内の粒子をコントロールする電界を印加することでも画像の表示、書き換えを行なうことが可能である。
【００８０】
（７）使用方法
使用方法を図１２を用いて以下説明する。
【００８１】
まずカードよりファイルを選択し、その情報を端末に送付する。その選択がされた端末では、ファイルの選択が正常ならば、正常終了の応答をカードに対して送信する。
【００８２】
次に、カードよりアプリケーションのダウンロードコマンドを端末に向かって送信する。端末ではこれに対応してデータ（アプリケーション）を送信するとともに、その最後に終了情報を送信する。それを受信したカードでは、そのデータ（アプリケーション）をダウンロードし、終了情報を受けてディスプレイのドライバを動作させ「処理結果」部分の表示を、をデータ（アプリケーション）をダウンロードし、正常に終了した旨に変更する。
【００８３】
次に、カードより電子マネーの支払いコマンドを端末に向かって送信する。端末では、その支払いを受け、正常に課金されたなら、正常終了の応答と、残高情報をカードに送信する。この正常終了の応答と、残高情報を受けたカードでは、ディスプレイのドライバを動作させ「処理結果」部分の表示を、正常終了した旨と、残高表示と、正常に終了した旨に変更する。
【００８４】
また、カードよりＥＥＰＲＯＭの表示コマンドを端末に向かって送信する。端末では、そのコマンド受け、要求されたＥＥＰＲＯＭ内の指定データが存在するか否かを判断し、存在していたなら、正常終了の応答と、ＥＥＰＲＯＭ内の指定データをカードに送信する。カードで、正常終了の応答と、ＥＥＰＲＯＭ内の指定データを受信したなら、ディスプレイのドライバを動作させ「処理結果」部分の表示を、正常終了した旨に変更するとともに、ＥＥＰＲＯＭの表示部分を変更する。
【００８５】
（８）画面遷移例
次に、実際の表示の遷移の例について、図１３を用いて説明する。
【００８６】
処理が開始した状態ＡのＩＣのインジケータ６ａは、その処理が進んでいない旨を表示する。また、処理結果６ｂは、処理開始の表示し、自由表示６ｃには、前回処理情報が表示される。
【００８７】
処理が進んだ状態ＢのＩＣカードでは、インジケータ６ａは、その処理状況を示す表示にリアルタイムに変化し、処理結果６ｂには、処理中である旨に変化させる。なお、自由表示は変更ない。
【００８８】
この結果、処理が正常終了した状態Ｃになったなら、インジケータ６ａは処理終了表示となり、処理結果６ｂは、正常終了表示になり、自由表示は、今回終了したデータを前回処理情報に更新する。
【００８９】
この後、状態Ｄの様に、処理結果６ｂは、正常使用可能である旨の表示に変わり、インジケータ６ａ並びに自由表示６ｃはそのままの表示を維持する。
【００９０】
他方、処理が異常終了した状態Ｅになったなら、インジケータ６ａは処理終了表示となり、処理結果６ｂは、異常発生表示になり、自由表示は、今回終了したデータを前回処理情報に更新する。
【００９１】
この後、状態Ｆの様に、処理結果６ｂは、やり直しを催促する旨の表示に変わり、インジケータ６ａ並びに自由表示６ｃはそのままの表示を維持する。
【００９２】
ここで、状態ＤやＦから、次の処理が可能だし、状態Ｆからは、その異常処理の原因を適宜別のツール等で探求可能である。
【００９３】
なお、表示内容は、これらの他に、残高、利用ポイント、前回使用場所、ダウンロード日、その他用途に合わせて選択可能である。
【００９４】
また、各種のデータ読み書き手段を介してデータの読み書き処理を行わせた場合、に該処理の処理中の状態か、又は、該処理を行わせた結果のうち、少なくともいずれかに関る情報を表示させることに用いうる表示可能な情報であれば、種類を問うものではない。
【００９５】
もちろん、その全てを表示させるものでも良いが、カード面積の関係上、必要なデータを選択できる様になっても、順次表示が場面に合わせて適宜切り替わるものでも良い。
【００９６】
また、これら以外の表示を追加して表示するものであっても構わない。
【００９７】
【発明の効果】
本願発明により、ＩＣカード内部の情報を、カード単体で確認することができる。
【００９８】
また、表示方法に表示保持型のディスプレイを用いることにより、情報の書き換えを行う場合にカードリーダ／ライタに印字機能を必要としない。
【００９９】
さらに、データの読み書き処理を行う場合に、何らかのカードの処理結果にトラブルがあった場合でも即座に確認でき、即座の対応が可能である。
【０１００】
しかも、そのトラブルの原因究明も、トラブルが発生した状態で確認ができるため、比較的容易になった。
【図面の簡単な説明】
【図１】本発明の一実施形態におけるＩＣカードの構成を示す機能ブロック図である。
【図２】本発明の一実施形態におけるＩＣカードの外観（表示面側）を示す説明図である。
【図３】本発明の一実施形態におけるＩＣカードシステムを示す説明図である。
【図４】本発明の一実施形態における接触型ＩＣカードの説明図である。
【図５】本発明の一実施形態における非接触型ＩＣカードの説明図である。
【図６】本発明の一実施形態におけるディスプレイを示す説明図である。
【図７】本発明の一実施形態におけるマイクロカプセルを示す説明図である。
【図８】本発明の一実施形態におけるディスプレイの動作を示す説明図である。
【図９】本発明の一実施形態におけるディスプレイの動作を示す説明図である。
【図１０】本発明の一実施形態におけるディスプレイの動作を示す説明図である。
【図１１】図２とは別な本発明の一実施形態におけるＩＣカードの外観（表示面側）を示す説明図である。
【図１２】本発明の一実施形態におけるＩＣカードの動作を示す説明図である。
【図１３】本発明の一実施形態におけるＩＣカードの画面遷移を示す説明図である。
【符号の説明】
１……ＩＣカード
２……ＲＯＭ
３……ＲＡＭ
４……ＣＰＵ
５……ディスプレイ
６……ディスプレイ
６ａ……表示領域（インジケータ）
６ｂ……表示領域（処理結果）
６ｃ……表示領域（自由表示）
７……ドライバ
８……接続端子
９……ＩＣモジュール
２１……ＩＣカードスロット
２２……リーダライタ
２３……コンピュータ
３１……接続端子
３２……外部アンテナ
３３……コイルアンテナ
３４……ＲＦ回路
１１……ディスプレイ
１１ｂ……電極フィルム
１１ｃ……画像表示層
１１ｄ……電極フィルム
１１ｆ……カラーフィルタ
１１０……マイクロカプセル
１１１……カプセル殻
１１２……分散媒
１１３……白の粒子
１１４……黒の粒子
１１５……分散媒
【図１】
2004102385.tif 000003
【図２】
2004102385.tif 000004
【図３】
2004102385.tif 000005
【図４】
2004102385.tif 000006
【図５】
2004102385.tif 000007
【図６】
2004102385.tif 000008
【図７】
2004102385.tif 000009
【図８】
2004102385.tif 000010
【図９】
2004102385.tif 000011
【図１０】
2004102385.tif 000012
【図１１】
2004102385.tif 000013
【図１２】
2004102385.tif 000014
【図１３】
2004102385.tif 000015